(57)【要約】【課題】実際の複写状態を事前に表示し、オペレータの趣とする複写状態に合致しているかを確認できるようにして、熟練を要せずともコピーミスの発生を防止する。【解決手段】実際の複写状態を表示するための表示パネルを複写機に設ける。等倍／拡大複写する場合は実際に紙に複写される範囲を表示し、縮小複写する場合は、複写用紙の大きさに対する原稿の位置や大きさ、または、文字や画像を実物大の大きさで表示する。また、複数ページの原稿を１枚の紙に複写する場合は、各ページのレイアウトを表示する。さらに、両面複写して綴じる場合は、左右綴じ込みや上下綴じ込み等、実際に複写後の見開きの様子を表示する。【選択図】図１
2005099101.tif 000002
【特許請求の範囲】
【請求項１】
複写機の複写状態、複写内容のいずれかまたは両方を表示することを特徴とする表示パネル及びこれを設けた複写機。
【請求項２】
請求項１に記載の表示パネルにおいて、タッチパネル機能を有することを特徴とする表示パネル及びこれを設けた複写機。
【請求項３】
請求項１または請求項２に記載の複写機において、一度読み込んだ原稿のデータを基に、画面操作により、各種機能の設定、複写状態のいずれかまたは両方を変える手段を設けたことを特徴とする複写機。
【請求項４】
請求項１〜請求項３に記載の複写機において、実際の複写領域よりも広い領域のデータを読み込み、実際の複写領域を表示するか、或いは複写領域よりも広い領域かまたは読み込んだ全ての領域を表示し、枠、線または印などで複写領域を明示することを特徴とする複写機。
【請求項５】
請求項１〜請求項４に記載の複写機において、拡大複写する場合は複写範囲を表示し、縮小複写する場合は、複写用紙の大きさに対する原稿の位置や大きさ、または、文字や画像を実物大の大きさで表示することを特徴とする複写機。
【請求項６】
請求項１〜請求項５に記載の複写機において、複数枚の原稿を１枚の用紙にまとめて複写する場合は、各原稿のレイアウトを表示することを特徴とする複写機。
【請求項７】
請求項１〜請求項６に記載の複写機において、両面複写して綴じ込みする場合は、左綴じ／右綴じや上綴じ等、実際に複写後の見開きの様子を表示することを特徴とする複写機。
【請求項８】
請求項１〜請求項７に記載の複写機において、複写条件を設定する設定パネルが複写状態を表示する表示パネル内に設けられたことを特徴とする複写機。
【請求項９】
請求項１〜請求項８に記載の複写機において、実際の複写状態を示した後、オペレータの指示を待つかそのまま複写を実行するかの選択機能を設けたことを特徴とする複写機。
【請求項１０】
請求項１に記載の機能を有しない複写機において、請求項１〜９に記載の機能を付加するための表示パネル及びその表示パネルを設けたことを特徴とする複写機。
【請求項１１】
請求項１〜請求項１０に記載の複写機において、複写処理後に表示パネル及び記憶装置からデータを消去することを特徴とする複写機。
【発明の詳細な説明】
【技術分野】
【０００１】
本発明は、拡大／縮小機能、両面／片面コピー機能や綴じ込み機能等の機能
を備えた複写機に関する。
【背景技術】
【０００２】
複写機本体上の表示パネルに原稿の各ページを個々に表示し、その下段にコピーの各ページを表示する方法が特開平８−７６６４８号公報に開示されている。しかし、使用する用紙の種類が分かるように表示パターンを変えて表示するもので、実際の複写状態を示したものではない。また、オペレータが複写状態を確認するための試しコピー機能を設ける方法が特開平１１−３０５６０９号公報に開示されている。
【特許文献１】特開平８−７６６４８号公報（図１１）
【特許文献２】特開平１１−３０５６０９号公報（図１９）
【発明の開示】
【発明が解決しようとする課題】
【０００３】
ところが、特開平８−７６６４８号公報の手法では上記従来の装置は実際の複写状態を示したものではないため、原紙が折れていた場合や拡大機能においてオペレータの趣とする領域と実際に複写される領域が異なった場合は全く効果がなく、縮小機能においては、文字の大きさや複写用紙に対する原稿の位置がオペレータの趣とする複写状態と合致しているかは不明である。さらに、複数枚以上の原稿を１枚の紙に複写する場合、関連した２枚が別のページに分割されてしまう場合があっても、組み合わせを順に確認しないと原稿の配置までは判りづらい。さらに、両面複写して綴じ込みする場合、左右綴じ込みまたは上下綴じ込みによって裏面の複写される方向が異なるが、上記従来の装置は実際の複写状態を示したものではないため、複写される方向まで確認することはできない。
【０００４】
また、特開平１１−３０５６０９号公報の手法では一度、紙に複写しなければならないため、多量の枚数で構成される資料の場合、試しコピーした複写物がオペレータの趣とする複写状態に合致していないと、試しコピーの分は紙の無駄になってしまう。特に、拡大／縮小の倍率を調整する場合や複写位置を調整する場合、何度も合わせ込みを行わなくてはならないこともあるが、試しコピー機能の効果はない。
【０００５】
そこで本発明は、複写前に実際の複写状態を視覚的に表示してオペレータが確認できるようにすることによって、熟練を要せずともコピーミスの発生を防止することのできる複写機を提供することを目的とする。
【課題を解決するための手段】
【０００６】
請求項１に記載の発明は、表示パネルにおいて、複写機の複写状態、複写内容のいずれかまたは両方を表示することを特徴とする。
【０００７】
請求項２に記載の発明は、請求項１に記載の表示パネルにおいて、タッチパネル機能を有することを特徴とする。
【０００８】
請求項３に記載の発明は、請求項１または請求項２に記載の複写機において、一度読み込んだ原稿のデータを基に、パネル操作により、各種機能の設定、複写状態のいずれかまたは両方を変える手段を設けたことを特徴とする。
【０００９】
請求項４に記載の発明は、請求項１〜請求項３に記載の複写機において、実際の複写領域よりも広い領域のデータを読み込み、実際の複写領域を表示するか、複写領域よりも広い領域かまたは読み込んだ全ての領域を表示し、複写領域を枠、線または印などで明示することを特徴とする。
【００１０】
請求項５に記載の発明は、請求項１〜請求項４に記載の複写機において、拡大複写する場合は複写領域を表示し、縮小複写する場合は、複写用紙の大きさに対する原稿の位置や大きさ、または、文字や画像を実物大の大きさで表示することを特徴とする。
【００１１】
請求項６に記載の発明は、請求項１〜請求項５に記載の複写機において、複数枚の原稿を１枚の用紙にまとめて複写する場合は、各原稿のレイアウトを表示することを特徴とする。
【００１２】
請求項７に記載の発明は、請求項１〜請求項６に記載の複写機において、両面複写して綴じ込みする場合は、左綴じ／右綴じや上綴じ等、実際に複写後の見開きの様子を表示することを特徴とする。
【００１３】
請求項８に記載の発明は、請求項１〜７に記載の複写機において、複写条件を設定する操作パネルが表示パネル内に設けられたことを特徴とする。
【００１４】
請求項９に記載の発明は、請求項１〜８に記載の複写機において、実際の複写状態を示した後、オペレータの指示を待つかそのまま複写を実行するかの選択機能を設けたことを特徴とする。
【００１５】
請求項１０に記載の発明は、表示パネルにおいて、請求項１〜９に記載の機能を付加することを特徴とすると共に、請求項１に記載の機能を有しない複写機において、該表示パネルを設けたことを特徴とする。
【００１６】
請求項１１に記載の発明は、請求項１〜請求項１０に記載の複写機において、複写処理後に表示パネル及び記憶装置からデータを消去することを特徴とする。
【発明の効果】
【００１７】
請求項１に記載の発明によれば、実際に複写される状態を複写機に設けられた表示パネルに表示することによって、複写処理前に複写結果を認識することができ、原稿が折れていたり、裏返っていたり、複写する領域がずれている等の原稿の設置不良や複写条件の設定間違いがあった場合でも複写処理前にそれを訂正することが可能となる。また、不慣れなオペレータの場合でも複写結果が表示されるためにオペレータの入力方法の正誤が分かり、コピーミスを防止することができる。
【００１８】
請求項２に記載の発明によれば、表示パネルにタッチパネル機能を設けてタッチスクリーンとすることにより、複写領域変更、拡大領域の変更、レイアウトの変更などの設定を行うための複写領域及び原稿が視覚的に選択することができるので、不慣れなオペレータの場合でも容易に操作できる。
【００１９】
請求項３に記載の発明によれば、表示内容がオペレータの趣とする複写状態に合致していない場合、複写する前に再び読み込まなくとも、パネル操作により、複写状態や各種機能の設定を変えて、オペレータの趣とする複写状態に変更することができる。このことにより、コピーミスを防止することができるだけでなく、再び、読み込みのために原稿をセットする手間や読み込むプロセスが省ける。
【００２０】
請求項４に記載の発明によれば、実際に複写される領域よりも広い領域のデータを読み込んであるため、複写する領域がオペレータの趣とする領域から多少ずれていた場合において、再び原稿を置き直して読み込みをしなくとも、読み込んだ領域内で複写領域を変更することができるため、コピーミスを防止できる。
【００２１】
請求項５に記載の発明によれば、複写用紙に対する原稿の位置や大きさを表示することにより、諸望の複写領域に納まっているか、諸望の寸法になっているか確認でき、また、文字の大きさを実物大の大きさで表示することにより、縮小された複写物が読みにくくなっていないか確認することができる。そこで、諸望の複写状態と合致していない場合、オペレータの趣とする倍率に視覚的に修正することができるため、コピーミスを防止できる。
【００２２】
請求項６に記載の発明によれば、複数枚の原稿を１枚の用紙にまとめて複写する場合、各原稿のレイアウトを表示パネルに表示することにより、連携または関連した２枚以上の原稿が別のページに分割されていないか等、原稿の配置がオペレータの趣とする配置に合致しているか否かを確認することができる。仮に、異なっていてもレイアウトを視覚的且つ容易に変更することができるので、コピーミスを防止できる。
【００２３】
請求項７に記載の発明によれば、実際に複写後の見開きの様子を表示することにより、両面複写後に綴じ込んで用紙を折り返した際に文字等が逆さになっているか否かを容易に認識することができるため、コピーミスの発生を防止できる。特に、ステープル綴じ設定を行った場合、裏返った原稿を再び複写した後、ステープルを取り外して用紙を差し替え、再びステープル綴じを行う労力と時間の無駄を省ける。
【００２４】
請求項８に記載の発明によれば、複写条件設定用の操作パネルを複写状態表示用の表示パネル内に組み込むことにより、操作パネルを削減することができ、表示パネルの大型化が可能となる。これに付随して、操作パネルを表示パネルに大型化して表示することもできるので、お年寄りや視力の弱い人にとって便利となる。
【００２５】
請求項９に記載の発明によれば、複写状態表示後にオペレータの指示を待つかそのまま複写を実行するかの選択機能を設けることにより、不慣れなオペレータは画面の表示で確認することにより、コピーミスを防止することができ、操作方法を十分に習得したオペレータは毎回対処する手間が省け、時間を節約することができる。
【００２６】
請求項１０に記載の発明によれば、循環式自動原稿送り機能を有する複写機において、表示パネルを外部に取り付けることにより、表示パネルの設置の問題や表示内容が見難くなってしまう問題が解決される。また、複写状態を表示することのできない既存の複写機に複写状態表示用の表示パネルを取り付けることにより、複写状態を表示することができるようになる。このため、既存の複写機が利用できるので、複写機を買い替えなくとも安い費用で複写状態が表示できる。さらに、原稿の設置不良や設定間違いがあった場合には用紙への複写前にそれを訂正することが可能となるため、コピーミスを防ぐことができる。
【００２７】
請求項１１に記載の発明によれば、複写処理後に表示パネル及び記憶装置からデータを消去することにより、未公開の情報をいつまでも表示しておくことを避けることができ、情報の流出を防ぐことができる。
【発明を実施するための最良の形態】
【００２８】
本発明の複写状態表示機能付デジタル複写機の一実施形態を詳細に説明する。図１は本発明の一実施形態の全体構成図である。
【００２９】
本発明の複写機は、図示していないが、ＣＰＵ、入出力制御部、給紙制御部、スキャナ制御部、記憶装置部及び像形成プロセス制御部等から構成されており、ＣＰＵは複写機全体を制御する中央制御部であり、ＣＰＵにはこれらの各動作部を制御するための制御部が接続されている。入出力制御部は、複写機本体の上面に備えられた操作パネル１に対する入力制御を行う。
【００３０】
複写機本体の上面には操作パネル１と蓋２が備えられている。この操作パネル１には、多数の入力キー３や入力キーを兼ねたタッチパネル４が備えられており、蓋２には複写状態を示す表示パネル５が備えられている。ここでは要部の入力キーおよび表示パネルについてのみ説明する。
【００３１】
表示パネル５は実際に用紙に複写される状態／内容を表示するための表示器であり、タッチパネル機能を備えたスクリーンパネルになっており、複写領域変更、拡大領域の変更、レイアウトの変更などの設定を行うための複写領域及び原稿が容易に選択することができる。
【００３２】
確認待機モードキー１７は複写状態を表示パネル５に表示した後に、オペレータが続行キー１４を押すまで待機するか、或いは待機せずに複写を実行するかを選択するための設定キーである。状態表示モードキー１９は複写状態を表示するか表示しないかを選択するための設定キーである。確認待機モードキー１７及び状態表示モードキー１９は共に操作方法を十分に習得したオペレータが時間を節約するための設定キーである。
【００３３】
また、片面／両面モードキー１５は、片面から片面モード、片面から両面モード、両面から両面モード、両面から片面モードのいずれかのモードを選択するための設定キーであり、接触によって上記のモードを選択する画面が現れる。縮小／拡大キー１６は等倍、自動、手動の何れかのモードを選択するための設定キーであり、接触によって上記のモードを選択する画面が現れ、さらに手動モードでは倍率を任意に設定するモードとA4からA3、A4からB4、A3からB4、A4からB5等用紙のサイズを指定して設定するモードがある。Nアップモードキー１８は複数枚の原稿を縮小し、１枚の用紙にまとめて複写するための設定キーであり、接触によって原稿の枚数と配置を選択する画面が現れる。
【００３４】
給紙制御部は、第１用紙トレイ７、第２用紙トレイ８、第３用紙トレイ９、第４用紙トレイ１０に収容された用紙及び手差しトレイ１１に配置された用紙を像形成プロセス部へ給紙する処理を制御する部分である。スキャナ制御部は、原稿台６上の原稿を走査するスキャナを制御する部分であり、記憶装置部はスキャナで読み込まれたデータを一時保管しておく部分である。像形成プロセス制御部は、トナーを用いての画像形成プロセスを制御する部分である。
【００３５】
以上のように構成される複写機の動作を、フローチャートと操作パネル及び表示パネルの画面表示例とを参照して説明する。図３は本実施例の複写機の動作手順を示すフローチャートであり、図２は操作パネルの拡大図、図４〜図６はその処理中のタッチパネル４の表示状態を示す図、図７〜図１２は課題とその対処を示した図、図１３は操作パネルの機能を複合化した表示パネルを示す図、図１４は複写機に表示パネル外付けした例を示す図である。
【００３６】
複写プロセスを開始するためのコピースイッチ１３を押すことによって、複写機本体の原稿台６上に配置された原稿の情報をスキャナで読み取り、読み込まれたデータを記憶装置部で一時保管し、記憶装置部で保管されたデータを表示部５に表示する。本複写機は、複写状態表示中即ち待機中には常に種々の入力の受け付けが可能であり、何らかの入力がされればそれに応じた処理を実行する。但し、確認待機モードキー１７によって不待機モードが設定された場合はそのまま複写処理が実行される。オペレータは表示部５に表示された内容が趣とする複写状態に合致しているかを確認し、合致していれば続行ボタン１４を押して複写を開始することにより、オペレータの趣とするコピーが排出トレイ１２に排出される。もし、表示内容がオペレータの趣とする複写状態に合致していない場合は再度読み込みを行うか、表示状態に応じて設定を変更することにより、趣とする複写状態に合致させる。以下に個々の課題に応じた処理をそれぞれ個別に説明する。
【００３７】
＜原稿状態の修復＞新聞、本、雑誌などを複写する場合、手作業により原稿２０を複写機の原稿台６にセットするので、セットのやり方によっては原稿を斜めにセットすることや、原稿が折れてしまうことがある。しかしながら、図７に示すように読み取り後に表示パネル５には斜めにセットされた原稿２２や折れた原稿２３が表示されるので、
このような状況を見つけることができる。そこで、原稿を再びセットし直し、表示パネル５にて正常な複写状態２４であることを確認した後、続行キー１４を押して複写を開始することによって、無駄な紙の排出を防ぐことができる。
【００３８】
＜裏返り原稿の修復＞循環式自動原稿送り装置１０２を用いて多量の原稿２５を複写する場合、図８（ａ）に示すように、裏返った原稿２６が混入していることもある。しかし、図８（ｂ）に示すように、読み取り後に表示パネルには初めに表示画面２７が表示され、ページをおくるごとに表示画面２８，表示画面２９のように表示することによって原稿２６が裏返っている状態２９を見つけることができる。そこで、裏返った原稿を再びセットし直し、表示パネル５にて原稿２６が裏返っていないことを確認した後、続行キー１４を押して複写を開始することによって、白紙または裏紙の複写を排出することを防ぐことができる。特に、ステープル綴じ設定を行った場合、裏返った原稿を再び複写した後、ステープルを取り外して用紙を入れ替え、再びステープル綴じを行う労力と時間の無駄を省ける。
【００３９】
＜複写領域の訂正＞新聞や雑誌の一部を複写する時など原稿の大きさが複写領域に対して大きい場合や、原稿を拡大して複写する場合、原稿２０のうちオペレータの趣とする複写領域２１が複写用紙から欠落してしまうことがある。そこで、図９に示すように、実際に複写される領域３１を表示パネル５に表示し、オペレータの趣とする複写領域２１が表示パネル５内に納まっているか確認する。もし、表示された複写領域３１がオペレータの趣とする複写領域２１に合致していない場合、原稿の位置を移動して再び読み込むことにより、オペレータの趣とする領域２１に合致させることができる。
【００４０】
ここで、原稿２０を読み込む際に、予めオペレータの趣とする領域２１よりも広い領域３０を読み込んで記憶装置部に蓄えておくと、再び読み込まなくても既に読み込まれた広い領域３３のデータの中から複写領域を選択して、オペレータの趣とする複写領域３４に変更することができる。表示された複写領域３１がオペレータの趣とする領域２１に合致していることを確認した後、続行キー１４を押して複写を開始することによって、無駄な紙の排出を防ぐことができる。
【００４１】
＜倍率の訂正＞拡大機能の場合は拡大しすぎて用紙からはみ出すことや、拡大の倍率が不十分でオペレータの趣とする複写状態に合致しないことがある。逆に、原稿を縮小して複写しようとした際に、実際に複写される領域を表示パネル５に表示し、縮小し過ぎて、文字が読みにくくなることや、図・写真などの記載物の判別ができなくなることがある。これらの場合、図１０に示すように、表示パネル５により複写状態を表示することにより、複写前に予め確認することができる。その結果、表示された複写状態３６がオペレータの趣とする倍率よりも大きすぎた場合、倍率を小さくして再び読み込むことにより、オペレータの趣とする倍率の画像３５に合致させることができる。逆に、表示された複写状態３８がオペレータの趣とする倍率よりも小さすぎた場合、倍率を大きくして再び読み込むことにより、オペレータの趣とする倍率の画像３９に合致させることができる。いずれの場合も、オペレータの趣とする倍率に合致していることを確認した後、続行キー１４を押して複写を開始することによって、無駄な紙の排出を防ぐことができる。
【００４２】
ここで、原稿２０を拡大して読み込む場合、設定された倍率で表示される領域３５よりも広い領域を読み込んで記憶装置部に蓄えておくと、再び読み込まなくても既に読み込まれた広い領域のデータの中からオペレータの趣とする複写領域３５を選択して複写領域３７に変更することができる。
【００４３】
＜レイアウトの訂正＞例えば互いに関連した原稿４１，原稿４２を含む原稿４０を４枚づつ１枚の用紙にまとめて複写する場合、関連した２枚の原稿４１，原稿４２が1枚目のページ４３と２枚目のページ４４とに分割されてしまうが、このことは図１１に示すように、４分の１の寸法に縮小した各原稿を実際の複写配置で表示パネル５に表示することにより、確認することができる。これはプレゼンテーションなどの場で比較し難いため、オペレータの趣とする複写状態に合致しないことがある。そこで、見栄えを良くしてオペレータの趣とする配置に合致させるために、1枚の原稿を全面に割り当てた用紙４５を設け、３枚の原稿で構成した用紙４７を設けることにより、複写状態４６に示すように原稿４１，原稿４２が１枚の用紙に複写される。また、用紙４７を構成する３枚の原稿の内、１枚の原稿４８を中央寄せすることもできる。このようにして、オペレータの趣とする複写状態に合致していることを確認した後、続行キー１４を押して複写を開始することによって、無駄な紙の排出を防ぐことができる。
【００４４】
＜綴じ込み状態の訂正＞両面複写と綴じ込みを同時に設定する場合、図１２に示すように、原稿４９をオペレータの趣とする綴じ込み方向と綴じ込みの設定が同じであれば複写状態５０のように問題はないが、オペレータの趣とする綴じ込み方向と綴じ込みの設定が異なる場合、表示状態５１のように、見開いたときに裏面が上下逆になってしまう。そこで、両面複写の用紙を綴じ込んで見開いた状態を表示パネルに表示して確認する。上下綴じでは初めに表示画面５２が表示され、ページをおくるごとに表示画面５３、表示画面５４，表示画面５５のように表示される。また、左右綴じでは初めに表示画面５６が表示され、ページをおくるごとに表示画面５７、表示画面５８，表示画面５９のように表示される。もし、見開いたときに裏側が上下逆になった場合、綴じ込み設定を変更するか、またはデータを回転させることにより、オペレータの趣とする綴じ込み状態に合致させる。この後、続行キー１４を押して複写を開始することによって、無駄な紙の排出を防ぐことができる。
【００４５】
＜タッチスクリーン機能付加＞表示パネル５に感圧式または静電式などのタッチパネル機能を設けてタッチスクリーンとする。このことにより、複写領域を指やタッチペンなどで複写領域を指定することにより、視覚的かつ容易に操作することができるので、不慣れなオペレータが何度も読み込みし直さなくとも正確に操作することができる。また、レイアウトを変更する際にも、縮小された実際の複写状態／複写内容を用いて操作することにより、空ページを挿入することや、移動させる原稿やその移動先を視覚的に指定することができるので、コピーミスを防ぐことができる。
【００４６】
＜操作パネル機能付加＞複写機の機能の増大に伴って操作パネルを拡大すると、表示パネルの領域に制限を与えることになる。そこで、表示パネル６０にタッチパネル機能を設けることで、表示パネル内に操作パネルを組み込むことが可能となる。この際、操作パネル部６１は移動可能、また、半透明表示も可能とすることによって、本来表示パネルに表示されるべく複写状態が見難くなるのを防ぐ。このことにより、操作パネルの部品を削減することができ、操作パネルの領域を節約することができるだけでなく、限りある複写機のスペースの中で表示パネルの大型化が可能となる。さらに、複写状態を表示していない時には操作パネルを拡大して表示することができるので、お年寄りや視力の弱い人には見易くなり、操作が容易になる。
【００４７】
＜表示パネルの外付け＞循環式自動原稿送り装置を有する複写機においては、図１４に示すように、循環式自動原稿送り装置１０２が複写機の蓋１０１に設置されており、表示パネルを設置することは困難であり、仮に設置したとしても、表示内容が見難くなってしまう。そこで、表示パネル１０３を外部に取り付けることにより、表示パネルの設置の問題や表示内容が見難くなってしまう問題が解決される。
【００４８】
また、複写状態を表示することのできない複写機に複写状態表示用の表示パネルを取り付ける場合も、図１４に示すように、複写状態表示用の表示パネル１０３を取り付け部品１０４により固定する。さらに、スキャナで読み込まれたデータを前記表示パネルに表示できるようにCPU及びその周辺回路を変更し、表示パネル部と電気的に接続する。このことにより、既存の複写機が利用できるので、複写機を買い替えなくとも、安い費用で複写状態が表示でき、コピーミスを防ぐことができる。
【００４９】
さらには、スキャナで読み込まれたデータを記憶装置部に一時保管しておき、編集ができるようにCPU及びその周辺回路を変更することで、給紙制御部、スキャナ制御部、記憶装置部及び像形成プロセス制御部等はそのまま利用することができて、複写領域変更、倍率変更、レイアウト変更、綴じ込み状態の変更ができ、コピーミスを防ぐことができるだけでなく、何度も読み込みし直さなくとも、画面操作により、オペレータの趣とする複写状態に変更することができる。
【００５０】
＜表示内容の消去＞社外秘、部外秘は勿論、社内での人事情報や上層部のみに公開された情報について、いつまでも表示したまただとその情報が不特定多数の人に見られてしまい、情報が流出する可能性がある。そこで、予め消去時間を設定しておき、その時間が経過した後に表示パネルに表示された内容を表示パネル及び記憶装置からその情報を消去する。または表示内容消去キーを操作パネルに設けておき、表示内容消去キーを押すことにより、表示内容を表示パネル及び記憶装置からその情報を消去する。さらに、両方の機能を設けることにより、オペレータが消去することを忘れてしまっても、設定された時間が経過することにより、自動的に情報が消去される。このことにより、情報が不特定多数の人に見られることがなくなり、情報が流出することを防ぐことができる。
【図面の簡単な説明】
【００５１】
【図１】本発明の実施例である複写機の概要図である。
【図２】同複写機の操作パネルを示した概要図である。
【図３】同複写機の要部処理手順を示したフローチャートである。
【図４】同複写機のタッチパネルの表示例であり、基本操作画面を示している。
【図５】同複写機のタッチパネルの表示例であり、応用操作画面を示している。
【図６】同複写機のタッチパネルの表示例であり、機能一覧画面を示している。
【図７】同複写機の表示パネルの表示例であり、原稿状態の不良例を示している。
【図８】同複写機の表示パネルの表示例であり、裏返り原稿の混入例を示している。
【図９】同複写機の表示パネルの表示例であり、原稿読み込み領域の拡大機能例を示している。
【図１０】同複写機における表示例であり、倍率変更機能の例を示している。
【図１１】同複写機における表示例であり、レイアウトの表示例を示している。
【図１２】同複写機における表示例であり、綴じ込み状態の表示例を示している。
【図１３】同複写機の表示パネルの表示例であり、操作パネルの複合機能を示している。
【図１４】本発明の別の実施例である複写機の概要図である。
【符号の説明】
【００５２】
１  操作パネル、２  蓋、３  入力キー、４  タッチパネル、５  表示パネル、６  原稿台、１３  コピースイッチ、１４  続行キー、２０  原稿、２１  オペレータの趣とする複写領域、３０  広範囲読み込み領域、６０  操作パネル機能付き表示パネル、６１  操作パネル部、１０２  循環式自動原稿送り装置、１０３  複写状態表示用の表示パネル、１０４  表示パネル取り付け部品
【図１】
2005099101.tif 000003
【図２】
2005099101.tif 000004
【図３】
2005099101.tif 000005
【図４】
2005099101.tif 000006
【図５】
2005099101.tif 000007
【図６】
2005099101.tif 000008
【図７】
2005099101.tif 000009
【図８】
2005099101.tif 000010
【図９】
2005099101.tif 000011
【図１０】
2005099101.tif 000012
【図１１】
2005099101.tif 000013
【図１２】
2005099101.tif 000014
【図１３】
2005099101.tif 000015
【図１４】
2005099101.tif 000016